(57)【特許請求の範囲】
【請求項１】
ロードブレイクエルボ型のケーブル終端部に嵌合させる終端嵌合部材と
前記終端嵌合部材に接続されたケーブルと
前記ケーブルに接続され接地端を把持する接地金具と、を備え、
前記終端嵌合部材を前記ケーブル終端部に固定する鉤形の固定金具が蝶番により
前記終端嵌合部材に結合されたことを特徴とする短絡接地工具。
【請求項２】
前記終端嵌合部材を前記ケーブル終端部に嵌合させた場合前記終端嵌合部材の嵌合部の
先端が前記ケーブル終端部の嵌合孔の内周面にある突起部に達しないことを特徴とする
請求項１に記載の短絡接地工具。
【請求項３】
外側に孔の空いた凸部を有する前記固定金具と
前記凸部の孔および前記ケーブル終端部の操作用金具の孔に挿通し前記固定金具を前記
ケーブル終端部に固定する固定ピンと、
を有することを特徴とする請求項１又は請求項２に記載の短絡接地工具。
【発明の詳細な説明】
【発明の詳細な説明】
【０００１】
本発明は、短絡接地工具、特に、ロードブレークエルボ型のケーブル終端部に嵌合して
用いる短絡接地工具に関する。
【背景技術】
【０００２】
近年、都市における景観への配慮の観点から電力ケーブルの地中化が図られ、この地中
化された電力ケーブルは、地上用変圧器や多回路開閉器等の機器（以下、地上機器と呼ぶ
）に接続されている。図８に示すように、電力ケーブル８１０、８２０で接続された地上
機器８３０を取替える場合、誤通電、他の電路との混触又は他の電路からの誘導による感
電の危険を防止するため、地上機器８３０と電力ケーブル８１０，８２０で接続された隣
接する地上機器８４０，８５０において、電力ケーブル８１０，８２０を確実に短絡接地
する必要がある。この際、地上機器が舗道上に設置されており、公衆の安全を図るため扉
を閉め施錠する必要がある。
【０００３】
ここで、地上機器８４０，８５０（特に、地上用変圧器）と接続される電力ケーブル８
１０，８２０の終端部の形状としてはロードブレークエルボ型のケーブル終端部（以下、
エルボ型終端部と呼ぶ）が用いられることがあり、他の型のケーブル終端部よりもコスト
が安いことが特徴である。
【０００４】
図７にエルボ型終端部２００の構造図を示す。図７に示すように、エルボ型終端部２０
０は、内側に電流を流す導体部２１０、その外側に内部半導電層２２０、さらに外側に絶
縁層２３０、最も外側に外部半導電層２４０を有する。背面には、エルボ型終端部２００
を地上機器側から引き抜くための操作棒を装着するための操作用金具２５０の孔を有する
。エルボ型終端部２００の嵌合孔の内周面にある突起部２２１は、エルボ型終端部２００
が地上機器の接続部に嵌合されているとき、この突起部２２１と対応する地上機器の接続
部の溝と嵌合することにより、エルボ型終端部２００と地上機器の接続部とを確実に固定
するためのものである。  
【０００５】
このエルボ型終端部を接地する短絡接地工具として、「短絡接地金具」（特許文献１）
がある。この発明は、高圧電線側に接続する高圧電線クリップと、その高圧電線クリップ
を接続するコードと、コードに接続された接地クリップとからなり、高圧電線クリップの
電線路把持面が連続した滑らかな凹凸状に形成され、高圧電線クリップの端部にフックを
設けたことにより電線路を確実に把持するものである。
【先行技術文献】
【特許文献】
【０００６】
【特許文献１】実開平５−６１９５８号公報
【発明の概要】
【発明が解決しようとする課題】
【０００７】
しかし、この「短絡接地金具」の高圧電線クリップでエルボ型終端部２００の導体部２
１０を把持しても嵩張るため、短絡接地金具を取り付けたエルボ型終端部２００を地上機
器内部に設置されている変圧器や開閉器、ケーブル等の隙間に収納出来ないおそれがあっ
た。また、たとえ収納できたとしても地上機器内部の隙間に押し込む必要があり、高圧電
線クリップがエルボ型終端部２００の導体部２１０より脱落するおそれがあった。
【０００８】
したがって、本発明は、エルボ型終端部に取り付けた状態で地上機器内部に収納でき、
かつ、確実に短絡接地することができる短絡接地工具を提供することを目的とする。
【課題を解決するための手段】
【０００９】
請求項１の発明に係る短絡接地工具は、ロードブレイクエルボ型のケーブル終端部に嵌
合させる終端嵌合部材と、前記終端嵌合部材に接続されたケーブルと、前記ケーブルに接
続され接地端を把持する接地金具とを備え、
前記終端嵌合部材を前記ケーブル終端部に固定する鉤形の固定金具が蝶番により
前記終端嵌合部材に結合されたことを特徴とする。
【００１０】
これによれば、終端嵌合部材をケーブル終端部に嵌合させることにより、終端嵌合部材と
ケーブル終端部との接続部分がコンパクトとなり、かつ、終端嵌合部材をケーブル終端部に確実に固定することができる。
【００１１】
請求項２の発明に係る短絡接地工具は、請求項１に記載の短絡接地工具において、前記
終端嵌合部材を前記ケーブル終端部に嵌合させた場合、前記終端嵌合部材の嵌合部の先端
が前記ケーブル終端部の嵌合孔の内周面にある突起部に達しないことを特徴とする。
【００１２】
これによれば、終端嵌合部材の嵌合部の先端がケーブル終端部の嵌合孔の内周面にある
突起部に達しないことより、終端嵌合部材の着脱が容易となる。
【００１３】
請求項３の発明に係る短絡接地工具は、請求項１又は請求項２に記載の短絡接地工具において、外側に孔の空いた凸部を有する前記固定金具と、前記凸部の孔および前記ケーブル終端部の操作用金具の孔に挿通し前記固定金具を前記ケーブル終端部に固定する固定ピンとを有することを特徴とする。
【００１４】
これによれば、鉤形の固定金具とケーブル終端部とをより確実に固定することができる
。
【発明の効果】
【００１５】
本発明によれば、終端嵌合部材をケーブル終端部に嵌合させることにより、終端嵌合部
材とケーブル終端部との接続部分がコンパクトとなり、かつ、終端嵌合部材をケーブル終端部に確実に固定することができる。そのため、エルボ型終端部に取り付けた状態で短絡接地工具を地上機器内部に収納をでき、かつ、確実に短絡接地することができる。
【図面の簡単な説明】
【００１６】
【図１】本発明の実施形態に係る短絡接地工具の全体図である。
【図２】本発明の実施形態に係る終端嵌合部材とエルボ型終端部の嵌合断面図である。
【図３】本発明の実施形態に係る終端嵌合部材の（ａ）平面図と（ｂ）側面図である。
【図４】本発明の実施形態に係る終端嵌合部材とエルボ型終端部が嵌合した場合の（ａ）平面図と（ｂ）背面図である。
【図５】本発明の実施例に係る短絡接地工具の全体図である。
【図６】本発明の実施例に係る終端嵌合部材の（ａ）平面図と（ｂ）側面図である。
【図７】エルボ型終端部の構造図である。
【図８】短絡接地工具を使用する地上機器の概要図である。
【発明を実施するための形態】
【００１７】
以下に添付図面を参照しながら、本発明の好適な実施形態について詳細に説明する。か
かる実施形態に示す寸法、材料、その他具体的な数値等は、発明の理解を容易とするため
の例示に過ぎず、特に断る場合を除き、本発明を限定するものではない。なお、本明細書
および図面において、実質的に同一の機能、構成を有する要素については、同一の符号を
付することにより重複説明を省略し、また本発明に直接関係のない要素は図示を省略する
。
【００１８】
図１は本発明の実施形態に係る短絡接地工具の全体図である。図１に示すように、エル
ボ型終端部に嵌合させる３個の終端嵌合部材１１０が、ケーブル１２０で接続されている
。これらの終端嵌合部材１１０の１個からケーブル１２１が伸び、接地端を把持する接地
金具１３０に接続されている。
【００１９】
この短絡接地工具を使用する場合、まず、短絡接地工具の接地金具１３０で地上機器内
部の接地端を把持する。次に、終端嵌合部材１１０を、地上機器から引き抜いたエルボ型
終端部に嵌合させる。その後、短絡接地工具全体を地上機器内部に収納し、扉を閉め施錠
する。
【００２０】
ここで、短絡接地工具は限られた地上機器内部の隙間に収納するため、変形可能なケー
ブルを使用するのが望ましい。
【００２１】
図２は本発明の実施形態に係る終端嵌合部材とエルボ型終端部の嵌合断面図である。図
２に示すように、終端嵌合部材１１０はエルボ型終端部の機器側に対応する既存のプラグ
ユニットと同様の構造をしており、エルボ型終端部２００に嵌合させる。嵌合させること
により終端嵌合部材１１０がエルボ型終端部２００に収納される形となるため、終端嵌合
部材１１０とエルボ型終端部２００との接続部分がコンパクトとなり、かつ、接続が脱落
しにくくなる。その結果、エルボ型終端部２００に短絡接地工具を取り付けた状態で地上
機器内部に収納をでき、かつ、確実に短絡接地することができる。
【００２２】
また、終端嵌合部材１１０をエルボ型終端部２００に嵌合させた場合、終端嵌合部材１
１０の嵌合部の先端がエルボ型終端部２００の嵌合孔の内周面にある突起部２２１に達し
ない。このため、この突起部２２１と嵌合する終端嵌合部材１１０の嵌合部の溝が存在し
えず、終端嵌合部材１１０の着脱が容易となる。
【００２３】
図３は本発明の実施形態に係る終端嵌合部材の（ａ）平面図と（ｂ）側面図、図４は本
発明の実施形態に係る終端嵌合部材とエルボ型終端部が嵌合した場合の（ａ）平面図と（
ｂ）背面図である。
【００２４】
図３に示すように、鉤形の固定金具１４０が、蝶番１５０により終端嵌合部材１１０に
結合されている。この固定金具１４０は二股に分かれており、二股のそれぞれの外側には
固定金具の凸部１４１の孔があり、その孔に挿通される固定ピン１６０を有している。エ
ルボ型終端部２００を終端嵌合部材１１０に嵌合させる場合、図４に示すように、まず固
定金具１４０を持ち上げて終端嵌合部材１１０をエルボ型終端部２００に嵌合させた後、
固定金具１４０をエルボ型終端部２００に被せる。これにより、固定金具１４０がエルボ
型終端部２００の背面を支持するため、エルボ型終端部２００が引っ張られても終端嵌合
部材１１０から脱落するのを防止できる。次に、固定ピン１６０をエルボ型終端部２００
の操作用金具２５０の孔と固定金具の凸部１４１の孔に挿通する。これにより、固定金具
１４０がエルボ型終端部２００に固定され、エルボ型終端部２００と終端嵌合部材１１０
との接続がより確実となる。
【００２５】
なお、固定金具１４０は二股に分かれる必要はなく、固定ピン１６０をエルボ型終端部
の操作用金具２５０の孔と固定金具の凸部１４１の孔に挿通できればよい。
【００２６】
このように、終端嵌合部材１１０をエルボ型終端部２００に嵌合させることにより、終
端嵌合部材１１０とエルボ型終端部２００との接続部分がコンパクトとなり、かつ、接続
が脱落しにくくなる。終端嵌合部材１１０の嵌合部の先端がエルボ型終端部２００の嵌合
孔の内周面にある突起部２２１に達しないため、終端嵌合部材１１０の着脱が容易となる
。固定金具１４０と固定ピン１６０により、エルボ型終端部２００と終端嵌合部材１１０
との接続がより確実となる。
【００２７】
その結果、エルボ型終端部２００に短絡接地工具を取り付けた状態で地上機器内部に収
納をでき、かつ、確実に短絡接地することができる。
【実施例】
【００２８】
本発明に係る短絡接地工具を試作し、エルボ型終端部に短絡接地工具を取り付けた状態
で、地上機器内部に収納でき、かつ確実に短絡接地できるか検証した。
【００２９】
図５は本発明の実施例に係る短絡接地工具の全体図である。図５に示すように、３本のケ
ーブル１７１を分岐端子１７０で１本の接地側ケーブル１７２にまとめている。
【００３０】
図６は本発明の実施例に係る終端嵌合部材の（ａ）平面図と（ｂ）側面図である。図６
に示すように、第１の固定金具１４２が終端嵌合部材１１０に固定され、第１の固定金具
１４２と第２の固定金具１４３が蝶番１５０により結合されている。これにより、エルボ
型終端部に被せるために回動させる固定金具の可動部分が小さくなるため、終端嵌合部材
１１０の着脱がより容易となる。
【００３１】
この試作した短絡接地工具を、実際に地上機器のエルボ型終端部に取り付けて検証した
結果、地上機器内部に収納し、扉開閉、施錠ができることを確認した。
【００３２】
以上、添付図面を参照しながら本発明の好適な実施形態について説明したが、本発明は
かかる例に限定されないことは言うまでもない。当業者であれば、特許請求の範囲に記載
された範疇内において、各種の変更例または修正例に想到し得ることは明らかであり、そ
れらについても当然に本発明の技術的範囲に属するものと了解される。
【符号の説明】
【００３３】
１００  短絡接地工具
１１０  終端嵌合部材
１２０、１２１  ケーブル
１３０  接地金具
１４０  固定金具
１４１  固定金具の凸部
１４２  第１の固定金具
１４３  第２の固定金具
１５０  蝶番
１６０  固定ピン
１７０  分岐端子
１７１、１７２  ケーブル
２００  エルボ型終端部
２１０  導体部
２２０  内部半導電層
２３０  絶縁層
２４０  外部半導電層
２２１  突起部
２５０  操作用金具
８１０、８２０  電力ケーブル
【図１】
0005804443.tif 000002
【図２】
0005804443.tif 000003
【図３】
0005804443.tif 000004
【図４】
0005804443.tif 000005
【図５】
0005804443.tif 000006
【図６】
0005804443.tif 000007
【図７】
0005804443.tif 000008
【図８】
0005804443.tif 000009